(57)【要約】【課題】シリカゲルの排出や供給を適正かつ容易に行えるようにする。【解決手段】シリカゲル１１３を収容するガラス筒１０２の上側に吸湿剤投入口１０３ａが設けられ、ガラス筒１０２の下側に吸湿剤排出口１０４ａが設けられた、吸湿呼吸器１０１に使用される吸湿呼吸器用補助具１であって、棒状で変形自在な長尺部２と、長尺部２の一端側に設けられ、吸湿剤投入口１０３ａからガラス筒１０２内に挿入可能で、シリカゲル１１３を掻き寄せ可能なヘラ部３と、を備える。【選択図】図３
2020129581.tif 000002
【特許請求の範囲】
【請求項１】
吸湿剤を収容する容器本体の上側に吸湿剤投入口が設けられ、前記容器本体の下側に吸湿剤排出口が設けられた、吸湿呼吸器に使用される吸湿呼吸器用補助具であって、
棒状で変形自在な長尺部と、
前記長尺部の一端側に設けられ、前記吸湿剤投入口から前記容器本体内に挿入可能で、前記吸湿剤を掻き寄せ可能なヘラ部と、
を備えることを特徴とする吸湿呼吸器用補助具。
【請求項２】
前記長尺部の他端側に、外部部材に着脱自在な着脱部を備える、
ことを特徴とする請求項１に記載の吸湿呼吸器用補助具。
【請求項３】
前記長尺部は、伸縮自在となっている、
ことを特徴とする請求項１または２のいずれか１項に記載の吸湿呼吸器用補助具。
【発明の詳細な説明】
【技術分野】
【０００１】
本発明は、変圧器などの機器の呼吸作用によって流入する大気中の湿気を吸収するための吸湿呼吸器（ブリーザ）に関し、特に、吸湿剤を排出したり供給したりする際に使用する吸湿呼吸器用補助具に関する。
【背景技術】
【０００２】
例えば、変圧器の呼吸作用によって大気中の湿気が器内に侵入し、その水分が油に溶けて変圧器の絶縁耐力を低下させる、という事象がある。このため、侵入した湿気を吸湿剤（脱水剤）によって吸収するための吸湿呼吸器が、変圧器などに付設されている（例えば、特許文献１参照。）。この吸湿呼吸器は、例えば、ガラス製で円筒状の容器本体が垂直に配置され、この容器本体の上側に変圧器側などに接続される呼吸管が設けられ、容器本体の下側には油壷が設けられている。また、容器本体内にはシリカゲルなどの吸湿剤が収容（封入）され、油壷には油が収容されている。
【０００３】
そして、大気（外気）が容器本体の下側から流入して、油壷内の油および容器本体内の吸湿剤を通過する（通り抜ける。）。これにより、大気中の湿気が吸湿剤によって吸収され、吸気管から変圧器側などに流入する。一方、変圧器側などからの排気が吸気管から流入し、排気管および油壷内を通過して、大気中に排出されるものである。
【０００４】
また、このような吸湿呼吸器には、容器本体の上側に吸湿剤投入口が設けられ、下側には吸湿剤排出口が設けられている。そして、吸湿剤投入口から吸湿剤を容器本体内に投入するとともに、湿気を十分に吸収して吸湿効果が低下した（劣化した）吸湿剤を吸湿剤排出口から排出するようにしている。
【先行技術文献】
【特許文献】
【０００５】
【特許文献１】実開平５−１８０１２号公報
【発明の概要】
【発明が解決しようとする課題】
【０００６】
ところで、上記のように、容器本体の下側には油壷や弁室（吸気弁と排気弁とを収容した容器）などが設けられているため、吸湿剤排出口を容器本体の垂直中心側に位置させることが困難な場合が多い。このため、容器本体の垂直中心から離れた外周側に吸湿剤排出口が設けられている。同様に、容器本体の垂直中心に排気管が設けられているため、容器本体の垂直中心から離れた外周側に吸湿剤投入口が設けられている。
【０００７】
このため、吸湿剤排出口から吸湿剤を排出する際に、反吸湿剤排出口側の底などに吸湿剤が残ってしまうことがあり、従来、容器本体の側壁を叩いて振動を与え、吸湿剤が残らないように排出していた。しかしながら、ガラス製の容器本体を叩くことで、容器本体を損傷させるおそれがあった。
【０００８】
同様に、吸湿剤投入口から吸湿剤を容器本体に投入する際に、吸湿剤投入口側に吸湿剤が偏って山なりになってしまうため、従来、ドライバーなどの棒体で吸湿剤を平坦にしたり、容器本体の側壁を叩いて振動を与えることで吸湿剤を平坦にしたりしていた。しかしながら、ドライバーなどは、真っ直ぐで先が細いため、偏った吸湿剤を適正に平坦にすることが困難であった。また、ガラス製の容器本体を叩くことで、容器本体を損傷させるおそれがあった。
【０００９】
そこで本発明は、吸湿剤の排出や供給を適正かつ容易に行うことを可能にする吸湿呼吸器用補助具を提供することを目的とする。
【課題を解決するための手段】
【００１０】
上記課題を解決するために、請求項１の発明は、吸湿剤を収容する容器本体の上側に吸湿剤投入口が設けられ、前記容器本体の下側に吸湿剤排出口が設けられた、吸湿呼吸器に使用される吸湿呼吸器用補助具であって、棒状で変形自在な長尺部と、前記長尺部の一端側に設けられ、前記吸湿剤投入口から前記容器本体内に挿入可能で、前記吸湿剤を掻き寄せ可能なヘラ部と、を備えることを特徴とする。
【００１１】
請求項２の発明は、請求項１に記載の吸湿呼吸器用補助具において、前記長尺部の他端側に、外部部材に着脱自在な着脱部を備える、ことを特徴とする。
【００１２】
請求項３の発明は、請求項１または２に記載の吸湿呼吸器用補助具において、前記長尺部は、伸縮自在となっている、ことを特徴とする。
【発明の効果】
【００１３】
請求項１に記載の発明によれば、長尺部が変形自在で、この長尺部の一端側に吸湿剤を掻き寄せ可能なヘラ部が設けられているため、吸湿剤の排出や供給を適正かつ容易に行うことが可能となる。すなわち、容器本体内の吸湿剤の残留状態や積層状態などに応じて長尺部を変形させ、ヘラ部を吸湿剤投入口から容器本体内に挿入して、ヘラ部で吸湿剤を所望の方向に掻き寄せる。これにより、適正かつ容易に吸湿剤を吸湿剤排出口から排出させたり、偏った吸湿剤を平坦にしたりすることが可能となる。また、容器本体の側壁を叩いて損傷させるおそれもなくなる。
【００１４】
請求項２に記載の発明によれば、長尺部の他端側に着脱部を備えるため、吸湿呼吸器用補助具を常時は外部部材（吸湿呼吸器など）に着けておいて、吸湿剤の交換時などに吸湿呼吸器用補助具を外部部材から取り外して使用すればよい。これにより、作業者が吸湿呼吸器用補助具を所持する必要がなく、作業者の負担を軽減できるとともに、必要に応じていつでも吸湿呼吸器用補助具を使用することができる。
【００１５】
請求項３に記載の発明によれば、長尺部が伸縮自在なため、容器本体内の吸湿剤の残留状態や積層状態などに応じて長尺部を伸縮させることで、より適正かつ容易に吸湿剤を吸湿剤排出口から排出させたり、偏った吸湿剤を平坦にしたりすることが可能となる。また、長尺部が伸縮自在なため、大きさが異なる複数の吸湿呼吸器に対して使用することが可能となる。
【図面の簡単な説明】
【００１６】
【図１】この発明の実施の形態１に係る吸湿呼吸器用補助具を示す正面図である。
【図２】図１の吸湿呼吸器用補助具の使用対象である吸湿呼吸器を示す正面断面図である。
【図３】図１の吸湿呼吸器用補助具を使用して吸湿剤を吸湿剤排出口から排出する状態を示す正面断面図である。
【図４】図１の吸湿呼吸器用補助具を使用して吸湿剤を平坦にする状態を示す正面断面図である。
【図５】この発明の実施の形態２に係る吸湿呼吸器用補助具の長尺部を示す正面図である。
【発明を実施するための形態】
【００１７】
以下、この発明を図示の実施の形態に基づいて説明する。
【００１８】
（実施の形態１）
図１〜図４は、この実施の形態を示し、図１は、この実施の形態に係る吸湿呼吸器用補助具１を示す正面図である。この吸湿呼吸器用補助具１は、吸湿呼吸器１０１内のシリカゲル（吸湿剤）１１３を交換したりする際に使用する補助具である。まず、吸湿呼吸器１０１について説明する。
【００１９】
吸湿呼吸器１０１は、図２に示すように、主として、ガラス筒（容器本体）１０２と、上蓋金具１０３と、底蓋金具１０４と、呼吸管１０５と、油壷１０６および排気管１０７を備える。
【００２０】
ガラス筒１０２は、シリカゲル１１３を収容する収容器であり、透明ガラス製の円筒体で構成され、このガラス筒１０２の上側に吸湿剤投入口１０３ａが設けられ、ガラス筒１０２の下側に吸湿剤排出口１０４ａが設けられている。
【００２１】
すなわち、ガラス筒１０２の上端部に、ガスケット（図示せず）を介して上蓋金具１０３が取り付けられ、ガラス筒１０２の下端部に、ガスケット（図示せず）を介して底蓋金具１０４が取り付けられている。具体的には、ガラス筒１０２の上下端部を上蓋金具１０３と底蓋金具１０４とで挟持した状態で、上蓋金具１０３と底蓋金具１０４とが長尺ボルト１０９によって連結されている。そして、このように密閉されたガラス筒１０２の中に、後述するようにしてシリカゲル１１３が収容されるようになっている。
【００２２】
また、上蓋金具１０３の中心からずれた位置（外周側）には、シリカゲル１１３を投入するための吸湿剤投入口１０３ａが設けられ、この吸湿剤投入口１０３ａには投入キャップ１１０が取り付けられている。また、吸湿剤投入口１０３ａと対向する上蓋金具１０３の外周側には、呼吸管１０５がフランジ部１０５ａを介してボルト１１１によって取り付けられている。この呼吸管１０５は、変圧器側のコンサベータ（図示せず）に接続され、変圧器側へ大気を送り、また、変圧器側からの排気を受けるための通気管である。
【００２３】
一方、底蓋金具１０４の中心からずれた外周側（吸湿剤投入口３ａのほぼ真下）には吸湿剤排出口１０４ａが設けられ、この吸湿剤排出口１０４ａには排出キャップ１１２が取り付けられている。また、底蓋金具１０４の下面側には、円筒状の吸気筒１０４ｂと排気筒１０４ｃとが形成され、排気筒１０４ｃが、底蓋金具１０４の中心つまりガラス筒１０２の垂直中心に位置するように配設されている。そして、この吸気筒１０４ｂと排気筒１０４ｃとを覆うように、油１１４を収容する（蓄える）油壷１０６が取り付けられている。
【００２４】
この油壷１０６は、底を有する円筒状で、上端のフランジ部１０６ａが底蓋金具１０４の取付部１０４ｄに装着された状態で取り付けられている。また、この油壷１０６内には仕切板１０６ｂが設けられ、この仕切板１０６ｂによって吸気室１０６ｃと排気室１０６ｄとに分室されている。そして、吸気室１０６ｃ内に底蓋金具１０４の吸気筒１０４ｂが収容され、排気室１０６ｄ内に排気筒１０４ｃが収容されるようになっている。さらに、フランジ部１０６ａの下側には、大気が流入するための吸気口１０６ｅが吸気室１０６ｃ側に設けられ、大気へ排気するための排気口１０６ｆが排気室１０６ｄ側に設けられている。
【００２５】
また、底蓋金具１０４の中心部には、排気筒１０４ｃと連通する貫通孔１０４ｅが形成され、この貫通孔１０４ｅに排気管１０７が挿入（圧入）されている。これにより、排気管１０７がガラス筒１０２の垂直中心（中心軸）に位置し、排気管１０７と排気筒１０４ｃとを介して油壷１０６の排気室１０６ｄと呼吸管１０５とが連通するようになっている。さらに、底蓋金具１０４には、油壷１０６の吸気口１０６ｅから流入した大気を、吸気室１０６ｃからガラス筒１０２内に流入させるための空気孔（図示せず）が設けられている。
【００２６】
さらに、底蓋金具１０４の上側には、多孔底板１１５が設けられている。この多孔底板１１５は板状の金網で構成され、ガラス筒１０２の側壁内面から吸湿剤排出口１０４ａの口元に向って下側に傾斜するように形成されている。これにより、シリカゲル１１３を排出する際に、ガラス筒１０２内のシリカゲル１１３が吸湿剤排出口１０４ａ側に流動しやすいようになっている。
【００２７】
このような吸湿呼吸器１０１の呼吸管１０５をコンサベータに接続して、吸湿呼吸器１０１を変圧器側に付設すると、変圧器の呼吸作用によって、大気が吸湿呼吸器１０１を介して変圧器に吸気され、変圧器からの排気が吸湿呼吸器１０１を介して大気に排出（排気）される。すなわち、吸気の際には、大気が油壷１０６の吸気口１０６ｅから流入し、吸気室１０６ｃ内の油１１４を通過して、底蓋金具１０４の空気孔からガラス筒１０２内に流入する。そして、ガラス筒１０２内のシリカゲル１１３を下部から上部に向って通過し（通り抜け）、吸気管１０５からコンサベータ（変圧器側）に流入する。
【００２８】
このように、大気がシリカゲル１１３を通過することで、大気中の湿気がシリカゲル１１３によって吸収され、変圧器の絶縁耐力の低下が防止される。一方、排気の際には、変圧器（コンサベータ）からの排気が吸気管１０５から流入し、排気管１０７内を通って油壷１０６の排気室１０６ｄ内の油１１４を通過し、排気口１０６ｆから大気中に排出されるものである。
【００２９】
次に、このような吸湿呼吸器１０１に使用する吸湿呼吸器用補助具１について説明する。
【００３０】
吸湿呼吸器用補助具１は、図１に示すように、長尺部２と、ヘラ部３と、リング部（着脱部）４と、を備える。
【００３１】
長尺部２は、変形自在（繰り返し塑性変形自在）な材料、例えば、針金で構成された細長い棒状体であり、その長さは、吸湿剤投入口１０３ａからガラス筒１０２内に挿入した際に、一端側つまりヘラ部３が吸湿剤排出口１０４ａに十分達するように設定されている。
【００３２】
ヘラ部３は、長尺部２の一端側に設けられ、吸湿剤投入口１０３ａからガラス筒１０２内に挿入可能で、シリカゲル１１３を掻き寄せ可能なものである。すなわち、吸湿剤投入口１０３ａから挿入可能な形状、大きさに設定され、さらに、シリカゲル１１３を掻き寄せて吸湿剤排出口１０４ａから排出させたり、偏ったシリカゲル１１３を平坦にしたりしやすい形状（平たいヘラ状）、大きさに設定されている。このような長尺部２とヘラ部３は、一体的に成形されている。
【００３３】
リング部４は、長尺部２の他端側に設けられ、外部部材に着脱自在なものである。すなわち、この実施の形態では、カードリングのように開閉自在なリングで、開閉することで長尺ボルト１０９などの外部部材に着脱できるようになっている。
【００３４】
このような吸湿呼吸器用補助具１を使用して、吸湿効果が低下したシリカゲル１１３を交換するには、次のようにすればよい。まず、リング部４を長尺ボルト１０９などから取り外し、吸湿呼吸器用補助具１を使えるようにしておく。
【００３５】
次に、排出キャップ１１２を外して、吸湿剤排出口１０４ａからシリカゲル１１３を排出させる。このとき、吸湿剤排出口１０４ａの反対側の多孔底板１１５などにシリカゲル１１３が残ってしまうことがある。この場合、図３に示すように、シリカゲル１１３の残留状態などに応じて吸湿呼吸器用補助具１の長尺部２を変形させ、投入キャップ１１０を外して吸湿剤投入口１０３ａからヘラ部３を挿入する。そして、ヘラ部３でシリカゲル１１３を吸湿剤排出口１０４ａ側に掻き寄せて排出させる。
【００３６】
続いて、排出キャップ１１２を吸湿剤排出口１０４ａに取り付け、シリカゲル１１３を吸湿剤投入口１０３ａからガラス筒１０２内に投入する。このとき、吸湿剤投入口１０３ａ側にシリカゲル１１３が偏って山なりになってしまうことがある。この場合、図４に示すように、シリカゲル１１３の積層状態などに応じて長尺部２を変形させ、吸湿剤投入口１０３ａからヘラ部３を挿入する。そして、ヘラ部３でシリカゲル１１３を掻き寄せて平坦にする。このようにして交換作業が終了した後に、リング部４を長尺ボルト１０９などに取り付けて、吸湿呼吸器用補助具１を吸湿呼吸器１０１に配置、付帯しておく。
【００３７】
以上のように、この吸湿呼吸器用補助具１によれば、長尺部２が変形自在で、この長尺部２の一端側にシリカゲル１１３を掻き寄せ可能なヘラ部３が設けられているため、シリカゲル１１３の排出や供給を適正かつ容易に行うことが可能となる。すなわち、ガラス筒１０２内のシリカゲル１１３の残留状態や積層状態などに応じて長尺部２を変形させ、ヘラ部３を吸湿剤投入口１０３ａからガラス筒１０２内に挿入して、ヘラ部３でシリカゲル１１３を所望の方向に掻き寄せる。これにより、適正かつ容易にシリカゲル１１３を吸湿剤排出口１０４ａから排出させたり、偏ったシリカゲル１１３を平坦にしたりすることが可能となる。また、ガラス筒１０２の側壁を叩いて損傷させるおそれもなくなる。
【００３８】
また、長尺部２の他端側にリング部４を備えるため、吸湿呼吸器用補助具１を常時は長尺ボルト１０９などに着けておいて、シリカゲル１１３の交換時などに吸湿呼吸器用補助具１を長尺ボルト１０９などから取り外して使用すればよい。これにより、作業者が吸湿呼吸器用補助具１を所持する必要がなく、作業者の負担を軽減できるとともに、必要に応じていつでも吸湿呼吸器用補助具１を使用することができる。
【００３９】
（実施の形態２）
図５は、この実施の形態に係る吸湿呼吸器用補助具１の長尺部２を示す正面図である。この実施の形態では、長尺部２が伸縮自在である点で実施の形態１と構成が異なり、実施の形態１と同等の構成については、同一符号を付することでその説明を省略する。
【００４０】
長尺部２は、第１の長尺部２１と、第２の長尺部２２と、連結ボルト２３と、を備える。第１の長尺部２１は、変形自在な細長い棒状体で、第２の長尺部２２は、変形自在な細長い中空の棒状体（チューブ体）で、第１の長尺部２１の一端部２１ａが第２の長尺部２２の一端部２２ａに挿入されている。また、第２の長尺部２２の一端部２２ａの外周面にはテーパネジが形成され、さらに、この一端部２２ａには、軸方向に延びる複数のスリット（切り欠き）が形成されている。そして、第１の長尺部２１の第２の長尺部２２に対する挿入量を調整して、連結ボルト２３を第２の長尺部２２のテーパネジに締め付けることで、第２の長尺部２２の一端部２２ａが第１の長尺部２１の一端部２１ａに抱き着き、長尺部２１、２２が連結されて長尺部２の全長が伸縮するものである。
【００４１】
このような実施の形態によれば、長尺部２が伸縮自在なため、ガラス筒１０２内のシリカゲル１１３の残留状態や積層状態などに応じて長尺部２を伸縮させることで、より適正かつ容易にシリカゲル１１３を吸湿剤排出口１０４ａから排出させたり、偏ったシリカゲル１１３を平坦にしたりすることが可能となる。また、長尺部２が伸縮自在なため、大きさが異なる複数の吸湿呼吸器１０１に対して使用することが可能となる。
【００４２】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、着脱部をリング部４で構成しているが、ストラップや磁石などで構成してもよい。また、上記の実施の形態２では、連結ボルト２３で２つの長尺部２１、２２を連結しているが、第２の長尺部２２の外周面に形成されたネジ孔に螺合し、第２の長尺部２２の軸線に垂直なボルトで長尺部２１、２２を連結してもよい。
【符号の説明】
【００４３】
１        吸湿呼吸器用補助具
２        長尺部
３        ヘラ部
４        リング部（着脱部）
１０１    吸湿呼吸器
１０２    ガラス筒（容器本体）
１０３    上蓋金具
１０３ａ  吸湿剤投入口
１０４    底蓋金具
１０４ａ  吸湿剤排出口
１０４ｂ  吸気筒
１０４ｃ  排気筒
１０５    呼吸管
１０６    油壷
１０６ｂ  仕切板
１０６ｃ  吸気室
１０６ｄ  排気室
１０６ｅ  吸気口
１０６ｆ  排気口
１０７    排気管
１１３    シリカゲル（吸湿剤）
１１４    油
１１５    多孔底板
【図１】
2020129581.tif 000003
【図２】
2020129581.tif 000004
【図３】
2020129581.tif 000005
【図４】
2020129581.tif 000006
【図５】
2020129581.tif 000007